(57)【要約】【課題】不使用時においては電子血圧計であることをわかりにくくするとともに、使用時におけるカフの取り出しの容易化を図ること。【解決手段】カフ２０１を収納するカフ収納部を備えた筐体１０１に対して回動可能に連結された蓋部材１０２が開放位置に位置付けられている状態において、カフ２０１の少なくとも一部が筐体１０１の外部に位置付けられる位置に移動し、開放位置から閉塞位置へ回動する蓋部材１０２によって付勢されてカフ２０１をカフ収納部内に収納する位置に移動するカフ持ち上げ部品４０１を有するカフ持ち上げ機構を備えた電子血圧計１００を構成した。【選択図】図４
2011212323.tif 000002
【特許請求の範囲】
【請求項１】
カフを収納するカフ収納部を備えた筐体と、
前記筐体に設けられ前記カフ収納部を開放する開放位置と当該カフ収納部を閉塞する閉塞位置とに選択的に位置付けられる蓋部材と、
前記カフ収納部に設けられ、前記カフ収納部に収納されたカフを当該カフ収納部から前記筐体の外部へ突出させることが可能な状態で前記カフを支持するカフ支持部材と、
を備え、
前記カフ支持部材は、前記蓋部材が前記開放位置に位置付けられている状態において前記カフの少なくとも一部を前記筐体の外部に突出させる位置に移動することを特徴とする電子血圧計。
【請求項２】
前記蓋部材のカフ収納部の開放位置と閉塞位置との位置付けと前記カフ支持部材の移動とは、それぞれ独立しておこなわれることを特徴とする請求項１に記載の電子血圧計。
【請求項３】
前記蓋部材は、前記筐体の上面に設けられた支軸部を介して前記筐体に対してか移動可能に連結され、前記筐体に対して回動することにより、前記開放位置と前記閉塞位置とに位置付けられることを特徴とする請求項１または２に記載の電子血圧計。
【請求項４】
前記カフ支持部材を、前記カフが前記カフ収納部から前記筐体の外部へ移動する方向に付勢する付勢部材を有し、
前記付勢部材は、前記蓋部材が前記開放位置に位置付けられている状態において前記カフ支持部材を前記カフの少なくとも一部を前記筐体の外部に突出する位置に移動することを特徴とする請求項３に記載の電子血圧計。
【請求項５】
前記蓋部材は、前記開放位置から前記閉塞位置へ回動することによって前記カフ支持部材を前記カフ収納部内に収納させることを特徴とする請求項１〜４のいずれか一つに記載の電子血圧計。
【請求項６】
前記カフ支持部材は、前記カフの側方から手指を入れて、前記カフを前記カフ収納部から取り出すことができるように突出させることを特徴とする請求項１〜５のいずれか一つに記載の電子血圧計。
【請求項７】
前記カフ支持部材は、前記カフの一方側を前記筐体の外部に突出させることを特徴とする請求項１〜６のいずれか一つに記載の電子血圧計。
【発明の詳細な説明】
【技術分野】
【０００１】
この発明は、電子血圧計に関する。
【背景技術】
【０００２】
従来、略円筒形状をなすカフを収納するカフ収納部を筐体内に備えたカフ収納型上腕血圧計があった。このような、従来のカフ収納型上腕血圧計（以下「電子血圧計」という）には、カフ収納部に対してカフを出し入れするための開口部が筐体の上側に設けられるとともに、当該開口部を開放可能に閉塞するように筐体に対して回動可能に設けられた蓋部材を備えたものがあった。また、このような従来の電子血圧計においては、略円筒形状をなすカフが、外周面を上側（開口部側）に向けた状態で収納されていた。
【０００３】
蓋部材を手前側に回動させることによって開口部を開放する構成の従来の電子血圧計においては、蓋部材の裏面側に操作キーや表示画面を一体的に備え、開口部を開放してカフの取り出しを可能とした状態において、操作キーや表示画面を使用可能とするように構成されたものがあった。従来の電子血圧計においては、このような構成とすることにより、カフ収納部にカフを収納するとともに蓋部材によって開口部を閉塞した状態においては、外観からの判断では電子血圧計であることをわかりにくくしたものがあった。
【０００４】
このような従来の電子血圧計においては、略板形状をなす蓋部材を備えたものがあった。また、このような従来の電子血圧計においては、蓋部材によって開口部が閉塞された状態においてはカフが外方から見えないようにするために、筐体が、当該筐体内に設けられたカフ収納部における深い位置にカフを収納する形状とされたものがあった。
【０００５】
また、従来、たとえば、カフと血圧計本体とからなり、血圧計本体の収納部とカフの収納部とが別々に設けられ、両収納部が蝶番を介して接続された構造を有し、カフの収納部によって血圧計本体の表面を被覆可能にした血圧計があった（たとえば、下記特許文献１を参照）。
【先行技術文献】
【特許文献】
【０００６】
【特許文献１】実開昭６４−０１９４０３号公報
【発明の概要】
【発明が解決しようとする課題】
【０００７】
しかしながら、上述した特許文献１を含む従来の技術は、蓋部材によって開口部が閉塞された状態においてはカフが外方から見えないようにするために、筐体内に設けられたカフ収納部における深い位置にカフを収納する形状とされていたため、カフが取り出しにくいという問題があった。すなわち、蓋部材によって開放される開口部が筐体の上側に設けられており、略円筒形状をなすカフの外周面が上側に向けられた状態で収納されているため、カフに対して当該カフの横方向（軸方向）から手指を触れることができず、カフが取り出しにくいという問題があった。
【０００８】
この発明は、上述した従来技術による問題点を解消するため、不使用時においては電子血圧計であることをわかりにくくするとともに、使用時におけるカフの取り出しの容易化を図ることができる電子血圧計を提供することを目的とする。
【課題を解決するための手段】
【０００９】
上述した課題を解決し、目的を達成するため、この発明にかかる電子血圧計は、カフを収納するカフ収納部を備えた筐体と、前記筐体に設けられ前記カフ収納部を開放する開放位置と当該カフ収納部を閉塞する閉塞位置とに選択的に位置付けられる蓋部材と、前記カフ収納部に設けられ、前記カフ収納部に収納されたカフを当該カフ収納部から前記筐体の外部へ突出させることが可能な状態で前記カフを支持するカフ支持部材と、を備え、前記カフ支持部材が、前記蓋部材が前記開放位置に位置付けられている状態において前記カフの少なくとも一部を前記筐体の外部に突出させる位置に移動することを特徴とする。
【００１０】
また、この発明にかかる電子血圧計は、上記の発明において、前記蓋部材のカフ収納部の開放位置と閉塞位置との位置付けと前記カフ支持部材の移動とが、それぞれ独立しておこなわれることを特徴とする。
【００１１】
また、この発明にかかる電子血圧計は、上記の発明において、前記蓋部材が、前記筐体の上面に設けられた支軸部を介して前記筐体に対してか移動可能に連結され、前記筐体に対して回動することにより、前記開放位置と前記閉塞位置とに位置付けられることを特徴とする。
【００１２】
また、この発明にかかる電子血圧計は、上記の発明において、前記カフ支持部材を、前記カフが前記カフ収納部から前記筐体の外部へ移動する方向に付勢する付勢部材を有し、前記付勢部材が、前記蓋部材が前記開放位置に位置付けられている状態において前記カフ支持部材を前記カフの少なくとも一部を前記筐体の外部に突出する位置に移動することを特徴とする。
【００１３】
また、この発明にかかる電子血圧計は、上記の発明において、前記蓋部材が、前記開放位置から前記閉塞位置へ回動することによって前記カフ支持部材を前記カフ収納部内に収納させることを特徴とする。
【００１４】
また、この発明にかかる電子血圧計は、上記の発明において、前記カフ支持部材が、前記カフの側方から手指を入れて、前記カフを前記カフ収納部から取り出すことができるように突出させることを特徴とする。
【００１５】
また、この発明にかかる電子血圧計は、上記の発明において、前記カフ支持部材が、前記カフの一方側を前記筐体の外部に突出させることを特徴とする。
【００１６】
この発明によれば、カフをカフ収納部内に収納した状態で蓋部材を閉塞位置に位置付けることによって、カフが収納されていることをわかりにくくすることができる。また、この発明によれば、蓋部材を開放位置に位置付けることによってカフ収納部を開放した状態において、カフの少なくとも一部が筐体の外部に突出するようにカフ支持部材が持ち上がるため、カフの横方向から容易に手指を入れることが可能になる。
【発明の効果】
【００１７】
この発明にかかる電子血圧計によれば、不使用時においては電子血圧計であることをわかりにくくするとともに、使用時におけるカフの取り出しの容易化を図ることができるという効果を奏する。
【図面の簡単な説明】
【００１８】
【図１】この発明にかかる実施の形態の電子血圧計を示す説明図（その１）である。
【図２】この発明にかかる実施の形態の電子血圧計を示す説明図（その２）である。
【図３】この発明にかかる実施の形態の電子血圧計を示す説明図（その３）である。
【図４】この発明にかかる実施の形態の電子血圧計を示す説明図（その４）である。
【図５】この発明にかかる実施の形態の電子血圧計の内部構造を示す説明図である。
【図６】カフ持ち上げ機構を示す説明図（その１）である。
【図７】カフ持ち上げ機構を示す説明図（その２）である。
【図８】カフ持ち上げ機構を示す説明図（その３）である。
【図９】この発明にかかる実施の形態の電子血圧計の機能的構成を示すブロック図である。
【図１０】蓋部材を開放方向へ回動させる場合の、蓋部材とカフ持ち上げ機構との関係について示す説明図（その１）である。
【図１１】蓋部材を開放方向へ回動させる場合の、蓋部材とカフ持ち上げ機構との関係について示す説明図（その２）である。
【図１２】蓋部材を開放方向へ回動させる場合の、蓋部材とカフ持ち上げ機構との関係について示す説明図（その３）である。
【図１３】蓋部材を開放方向へ回動させる場合の、蓋部材とカフ持ち上げ機構との関係について示す説明図（その４）である。
【図１４】蓋部材が開口部を閉じる方向へ回動させる場合の、蓋部材とカフ持ち上げ機構との関係について示す説明図（その１）である。
【図１５】蓋部材が開口部を閉じる方向へ回動させる場合の、蓋部材とカフ持ち上げ機構との関係について示す説明図（その２）である。
【図１６】蓋部材が開口部を閉じる方向へ回動させる場合の、蓋部材とカフ持ち上げ機構との関係について示す説明図（その３）である。
【図１７】蓋部材が開口部を閉じる方向へ回動させる場合の、蓋部材とカフ持ち上げ機構との関係について示す説明図（その４）である。
【図１８】この発明にかかる別の実施の形態の電子血圧計を示す説明図（その１）である。
【図１９】この発明にかかる別の実施の形態の電子血圧計を示す説明図（その２）である。
【図２０】この発明にかかる別の実施の形態の電子血圧計を示す説明図（その３）である。
【図２１】この発明にかかる別の実施の形態の電子血圧計を示す説明図（その４）である。
【発明を実施するための形態】
【００１９】
以下に添付図面を参照して、この発明にかかる電子血圧計の好適な実施の形態を詳細に説明する。
【００２０】
（実施の形態）
まず、この発明にかかる実施の形態の電子血圧計の構成について説明する。図１、図２、図３および図４は、この発明にかかる実施の形態の電子血圧計を示す説明図である。図１においては、この発明にかかる実施の形態の電子血圧計の、不使用時における外観を斜め上方から見た状態を示している。図２は、この発明にかかる実施の形態の電子血圧計の、使用時における外観を斜め上方から見た状態を示している。図３においては、この発明にかかる実施の形態の電子血圧計の、不使用時における外観を側方から見た状態を示している。図４は、この発明にかかる実施の形態の電子血圧計の、使用時における外観を側方から見た状態を示している。
【００２１】
図１、図２、図３および図４において、この発明にかかる実施の形態の電子血圧計１００は、筐体１０１を備えている。筐体１０１は、電子血圧計１００の使用時において前方側（使用者に向けられる側）が浅く、後方側（使用者から離れた側）が前方側よりも深い箱形形状をなしている。
【００２２】
筐体１０１は、内側に、カフ２０１を収納可能な空間をなすカフ収納部２０２を備えている。カフ収納部２０２の上側には、上方に向けて開口する開口部２０３が設けられている。カフ２０１は、カフ収納部２０２に対して開口部２０３を介して出し入れされ、電子血圧計１００の不使用時にカフ収納部２０２内に収納される。
【００２３】
カフ２０１は、カフリング、阻血袋、カフ帯などを備えて構成されている（いずれも図示を省略する）。カフリング、阻血袋およびカフ帯は、それぞれ、略円筒形状をなしている。カフリングは、たとえばポリエチレンなどを用いて形成され、阻血袋の内側に設けられている。カフリングの両端に設けられた開口部２０３には、たとえば樹脂製リングまたはコイルバネ状の金属リングなど、弾性を有するリング状の支持部材が設けられる。
【００２４】
阻血袋は、たとえばポリウレタンなどを用いて形成され、カフ帯の内側に設けられている。阻血袋は、吸入排気用チューブ（図示を省略する）を介して、ポンプ（図５および図９を参照）と、エアバルブ（図９を参照）と、圧力センサ（図９を参照）とに接続されている。
【００２５】
カフ帯は、たとえばナイロンなどを用いて形成されている。カフ帯は、軸方向の伸張率に対して、円周方向の伸張率が極めて低くなるように形成されている。このカフ帯は、阻血袋にエアが送り込まれた際の外側への膨張を抑える。
【００２６】
カフ２０１は、測定時において、ポンプによって阻血袋の内腔が加圧された際に、カフ帯が阻血袋の外側への膨張を制限するように構成されている。特に、カフ帯は、軸方向に比べて周方向の伸張率が低くなるように形成されているため、阻血袋の外側への膨張を、より制限するようになっている。
【００２７】
筐体１０１には、蓋部材１０２が設けられている。蓋部材１０２は、筐体１０１に対して回動可能に連結されている。蓋部材１０２は、開口部２０３を閉塞する位置と開口部２０３を開放する位置との間において、筐体１０１に対して回動可能に連結されている。蓋部材１０２の一部は、電子血圧計１００の使用を可能とする位置まで回動した状態において、電子血圧計１００の設置面３０１に当接する。
【００２８】
筐体１０１と蓋部材１０２とを連結するとともに蓋部材１０２の回動中心となる支軸部１０３は、筐体１０１の上面に設けられている。支軸部１０３は、筐体１０１の上面において、前方側から後方側に向かう途中部分に設けられている。これにより、蓋部材１０２は、電子血圧計１００の使用を可能とする位置まで回動した場合に、筐体１０１の上面に一部重なった状態とされる。
【００２９】
カフ収納部２０２内には、カフ持ち上げ部品４０１が設けられている。カフ持ち上げ部品４０１は、カフ持ち上げ機構の一部を構成し、蓋部材１０２の開閉動作に連動して上下動する。カフ２０１は、カフ収納部２０２内において、カフ持ち上げ部品４０１によって支持されており、カフ持ち上げ部品４０１が上下動することによって、蓋部材１０２の開閉動作に連動して上下動する。この実施の形態においては、カフ持ち上げ部品４０１によって、カフ支持部材を実現することができる。カフ持ち上げ機構については説明を後述する（図６〜８を参照）。
【００３０】
蓋部材１０２の表面（開口部２０３を閉塞する位置に位置付けられた状態における上面）には、液晶表示部（副表示部）１０４が設けられている。液晶表示部１０４は、時刻を表示する時計として機能する。時刻は、電子血圧計１００が備える制御部における計時機能によって計時される時刻を表示する。
【００３１】
蓋部材１０２の裏面（開口部２０３を開放し、電子血圧計１００の使用を可能とする状態における上面）には、液晶表示部（表示部）２０４および操作部２０５が設けられている。液晶表示部２０４は、最高血圧値、最低血圧値、脈拍数、体動マーク、脈間隔変動マークなど、電子血圧計１００が測定した各種の測定結果を表示する。液晶表示部２０４は、電池消耗マークや各種のエラーメッセージなどを表示してもよい。
【００３２】
操作部２０５は、各種の操作キーを備えている。操作部２０５における各種の操作キーは、電子血圧計１００の使用を可能とする位置まで回動した状態において、操作することが可能となる。電子血圧計１００は、バッテリ（図示を省略する）を備えており、このバッテリによって液晶表示部１０４、液晶表示部２０４および操作部２０５への電源の供給がおこなわれる。
【００３３】
図５は、この発明にかかる実施の形態の電子血圧計１００の内部構造を示す説明図である。図５において、電子血圧計１００は、ポンプ５０１、センサ基板５０２、バッファー５０３、フィルター５０４、電磁ＳＬ５０５、磁石５０６、カフコネクタ５０７、磁石スイッチ５０８などを備えている。ポンプ５０１、センサ基板５０２、バッファー５０３、フィルター５０４、電磁ＳＬ５０５、磁石５０６およびカフコネクタ５０７は、筐体１０１内に設けられている。
【００３４】
磁石５０６は、筐体１０１の内側であって、筐体１０１の上面をなす板状部材に、筐体１０１の内側から取り付けられている。また、磁石５０６は、支軸部１０３よりも前方側に設けられている。磁石５０６は、当該磁石５０６に対して磁石スイッチ５０８が所定範囲内に位置する場合に、磁石スイッチ５０８が検出可能な大きさの磁気を発する。
【００３５】
磁石スイッチ５０８は、蓋部材１０２の内側に設けられている。磁石スイッチ５０８は、蓋部材１０２が電子血圧計１００の使用を可能とする位置に位置付けられた状態において、板状部材を間にして磁石５０６に対向する位置に設けられている。これにより、磁石スイッチ５０８は、蓋部材１０２が電子血圧計１００の使用を可能とする位置および当該位置の近傍に位置付けられた状態、すなわち磁石５０６に対して所定範囲内まで接近した状態において、磁石５０６の磁気を検出することができる。
【００３６】
磁石スイッチ５０８は、蓋部材１０２が開口部２０３を開放する方向へ回動し、電子血圧計１００の使用を可能とする位置に位置付けられた状態において磁石５０６の磁気を検出し、磁石５０６の磁気を検出したことをもって蓋部材１０２が電子血圧計１００の使用を可能とする位置に位置付けられたことを検出する。電子血圧計１００は、磁石スイッチ５０８が磁石５０６の磁力を検出した場合に、電子血圧計１００の電源をＯＮ状態とする。また、電子血圧計１００は、磁石スイッチ５０８は磁石５０６の磁力を検出している間、電子血圧計１００の電源をＯＮ状態とし続ける。
【００３７】
操作キーに対する操作は、磁石スイッチ５０８が磁石５０６の磁気を検出している状態において可能とされる。液晶表示部２０４は、操作キーに対する操作が可能な場合に、所定の情報を表示する。すなわち、液晶表示部２０４および操作部２０５は、蓋部材１０２が電子血圧計１００の使用を可能とする位置に位置付けられている状態に限って動作する。
【００３８】
これにより、電子血圧計１００の使用者（被測定者）に対して電源を投入する操作など格別な操作をおこなわせることなく、蓋部材１０２を開放するだけで電子血圧計１００を容易に使用可能な状態とすることができる。また、蓋部材１０２が電子血圧計１００の使用を可能とする位置に位置付けられている状態に限って液晶表示部２０４および操作キーが動作するため、たとえば電源を切り忘れたために電池が消耗してしまうことを防止することができる。
【００３９】
なお、ポンプ５０１、センサ基板５０２、バッファー５０３、フィルター５０４、電磁ＳＬ５０５、カフコネクタ５０７など、電子血圧計１００が備えるその他の各部については、公知の技術であるため説明を省略する。
【００４０】
図６、図７および図８は、カフ持ち上げ機構を示す説明図である。図６、図７および図８において、カフ持ち上げ機構６０１は、カフ持ち上げ部品４０１と、歯車６０２と、トーションバネ８０１と、を備えている。この実施の形態においては、トーションバネ８０１によって付勢部材を実現することができる。カフ持ち上げ部品４０１は、筐体の内側に設けられたガイド部材６０３に沿って上下動可能に設けられている。カフ持ち上げ部品４０１において、ガイド部材６０３に対向する位置には、ギア歯７０１が設けられている。
【００４１】
ガイド部材６０３には、カフ持ち上げ部品４０１とは反対側に、歯車６０２の軸を支持する軸受け６０４が設けられている。歯車６０２は、この軸受け６０４に支持されることによって、定位置において回転可能とされている。歯車６０２の外周面に設けられた歯部は、カフ持ち上げ部品４０１に設けられたギア歯７０１に噛み合わされている。
【００４２】
歯車６０２が回転すると、カフ持ち上げ部品４０１に設けられているギア歯７０１に対する歯車６０２における歯部６０２ａの噛み合い位置が変化する。カフ持ち上げ部品４０１は、歯車６０２の回転にともなうギア歯７０１に対する歯部６０２ａの噛み合い位置の変化に応じて、カフ収納部２０２内を上下動する。
【００４３】
トーションバネ８０１は、歯車６０２に対して、当該歯車６０２を、カフ持ち上げ部品４０１が上方に移動する方向に回転させる方向への付勢力を作用させる。これにより、カフ持ち上げ部品４０１は、トーションバネ８０１の付勢力によって、常に、上方へ移動する方向に付勢されている。
【００４４】
カフ持ち上げ部品４０１には、カフ収納部２０２内に収納された状態において、カフ収納部２０２側から蓋部材１０２（開口部２０３、上方）側へ突出する突起部６０５が設けられている。カフ持ち上げ部品４０１は、トーションバネ８０１によって上方に付勢されているため、蓋部材１０２が開口部２０３の上方に位置している間は、蓋部材１０２の裏面側に突起部６０５を当接させた状態で上下動する。
【００４５】
具体的には、カフ持ち上げ部品４０１は、蓋部材１０２が開放方向に回動する場合は、蓋部材１０２の裏面側に突起部６０５を当接させながら上方へ移動する。カフ持ち上げ部品４０１には、ストッパ７０２が設けられており、上方への移動に際しては、ストッパ７０２が筐体１０１の所定の位置に当接することによって停止する。
【００４６】
また、具体的には、カフ持ち上げ部品４０１は、蓋部材１０２が閉塞方向に回動する場合は、蓋部材１０２の裏面側に突起部６０５を当接させながら下方へ移動する。カフ持ち上げ部品４０１は、下方への移動に際して、蓋部材１０２が開口部２０３を完全に閉塞する位置まで回動した時点で停止する。
【００４７】
カフ２０１は、蓋部材１０２が開口部２０３を完全に閉塞した状態において、カフ収納部２０２内に完全に収納される。カフ２０１がカフ収納部２０２内に収納された状態においては、突起部６０５が蓋部材１０２の裏面に当接することによってカフ収納部２０２内におけるカフ持ち上げ部品４０１の位置を固定しているため、カフ２０１に負荷をかけることなくカフ２０１を収納しておくことができる。
【００４８】
被測定者は、電子血圧計１００の使用に際し、蓋部材１０２の一部が電子血圧計１００の設置面３０１に当接する位置まで蓋部材１０２を開放方向に回動させる。蓋部材１０２が開放方向に回動することにより、トーションバネ８０１によって付勢されているカフ持ち上げ部品４０１が上方に移動する。カフ持ち上げ部品４０１が上方に移動することにより、被測定者は、カフ２０１の側方（軸心方向）から手指を入れ、カフ２０１をカフ収納部２０２から取り出すことができる。
【００４９】
また、電子血圧計１００は、磁石スイッチ５０８の検出結果に基づいて、蓋部材１０２の一部が電子血圧計１００の設置面３０１に当接する位置、すなわち電子血圧計１００の使用を可能とする位置に位置付けられると同時あるいは当該位置に位置付けられる直前に、液晶表示部２０４および操作部２０５を動作させる。
【００５０】
（電子血圧計１００の機能的構成）
つぎに、図９を用いて、この発明にかかる実施の形態の電子血圧計１００の機能的構成について説明する。図９は、この発明にかかる実施の形態の電子血圧計１００の機能的構成を示すブロック図である。電子血圧計１００においては、被測定者がカフ２０１内に腕を挿通させた状態で、操作部２０５における所定の操作キー（測定ボタンなど）を押すと、自動的にカフ２０１にエアを送り込んで測定が開始される。
【００５１】
図９において、電子血圧計１００は、ＣＰＵ９０１と、ポンプ駆動回路９０２と、エアバルブ駆動回路９０３と、増幅器９０４と、Ａ／Ｄコンバータ９０５と、メモリ９０６と、液晶表示部１０４と、液晶表示部２０４と、操作部２０５と、ポンプ５０１と、エアバルブ９０７と、圧力センサ９０８と、阻血袋９０９などを備えて構成されている。ＣＰＵ９０１は、血圧計１００全体の制御を司る。
【００５２】
ポンプ駆動回路９０２は、ＣＰＵ９０１から出力された制御信号に基づいて動作し、ポンプ５０１を駆動制御する。ポンプ駆動回路９０２は、ポンプ５０１を駆動制御することによって阻血袋９０９の内腔に空気を送り込み、阻血袋９０９の内腔に空気を送り込むことによって阻血袋９０９の内腔を加圧する。具体的には、ポンプ駆動回路９０２は、測定時において、阻血袋９０９の内腔の圧力が所定の圧力となるように、阻血袋９０９の内腔に圧縮気体を送り込む。
【００５３】
エアバルブ駆動回路９０３は、ＣＰＵ９０１から出力された制御信号に基づいて動作し、エアバルブ９０７を駆動制御し、エアバルブ９０７の開閉状態を制御する。エアバルブ駆動回路９０３は、エアバルブ９０７を駆動制御することによって、阻血袋９０９の内腔の圧力を維持するとともに、阻血袋９０９の内腔の圧力の減圧をおこなう。具体的には、エアバルブ駆動回路９０３は、測定時においてポンプ５０１の動作によって高圧状態となった阻血袋９０９の内腔の圧力の維持および減圧をおこなうとともに、測定終了後において阻血袋９０９の内腔を大気圧に復帰させる。
【００５４】
圧力センサ９０８は、測定時において変化する阻血袋９０９の内腔の圧力を検出し、阻血袋９０９の圧力検出信号を出力する。増幅器９０４は、圧力センサ９０８から出力される阻血袋９０９の圧力検出信号を増幅し、Ａ／Ｄコンバータ９０５に出力する。Ａ／Ｄコンバータ９０５は、増幅器９０４から出力されたアナログ信号をデジタル化し、ＣＰＵ９０１に出力する。
【００５５】
ＣＰＵ９０１は、タイマ機能によって時刻を計時し、計時した時刻信号を液晶表示部１０４に出力する。液晶表示部１０４は、ＣＰＵ９０１から出力された時刻信号に基づいて時刻を表示する。また、ＣＰＵ９０１は、増幅器９０４から出力されたアナログ信号をデジタル化した測定値信号を液晶表示部２０４に出力する。液晶表示部２０４は、ＣＰＵ９０１から出力された測定値信号に基づいて、最高血圧値、最低血圧値、脈拍数、体動マーク、脈間隔変動マークなど、電子血圧計１００が測定した各種の測定結果を表示する。
【００５６】
液晶表示部２０４に表示された測定結果に基づき、被測定者によって所定の操作キーが操作されると、ＣＰＵ９０１は、測定結果をメモリ９０６に出力する。メモリ９０６は、測定結果を記憶する。
【００５７】
カフ持ち上げ機構６０１は、蓋部材１０２の開閉動作に連動するが、蓋部材１０２および蓋部材１０２の動作に連動する部材に対して機械的な連結はなされていない。このため、蓋部材１０２あるいはカフ持ち上げ機構６０１のいずれか一方が機械的に故障した場合は、カフ持ち上げ機構６０１あるいは蓋部材１０２のいずれか他方のみが動作することができる。
【００５８】
図１０、図１１、図１２および図１３は、蓋部材１０２を開放方向へ回動させる場合の、蓋部材１０２とカフ持ち上げ機構６０１との関係について示す説明図である。図１０および図１１においては、蓋部材１０２に機械的に連結されたカフ持ち上げ機構を備えた電子血圧計の例を示している。図１２および図１３においては、カフ持ち上げ機構６０１と蓋部材１０２とが機械的に連結されていない、この実施の形態の電子血圧計を示している。
【００５９】
図１０および図１１において、比較例の電子血圧計１０００は、エンドレスベルト１００１を備えたカフ持ち上げ機構１００２を備えている。カフ持ち上げ機構１００２が備える歯車６０２は、エンドレスベルト１００１を介して蓋部材１０２の支軸部１０３に連結されている。これにより、蓋部材１０２が開放方向に動作することによって支軸部１０３が回動した場合、支軸部１０３の回動力がエンドレスベルト１００１を介して歯車６０２に伝達される。
【００６０】
このとき、たとえば、カフ持ち上げ機構１００２に機械的な故障が生じ、歯車６０２が回らない状態であった場合にも、蓋部材１０２における支軸部１０３の回動力が歯車６０２に伝達され、歯車６０２を強制的に回転させようとする。このような場合、蓋部材１０２を無理に回動させようとして、さらに力を加えると、蓋部材１０２、カフ持ち上げ機構１００２あるいはエンドレスベルト１００１が破損するおそれがある（図１１における×印を参照）。
【００６１】
これに対し、この実施の形態の電子血圧計１００は、図１２および図１３に示すように、カフ持ち上げ機構６０１と蓋部材１０２とが機械的に連結されていないため、たとえば、カフ持ち上げ機構６０１に機械的な故障が生じ、歯車６０２が回らない状態であった場合には、蓋部材１０２の支軸部１０３のみが回動し、カフ持ち上げ機構６０１は動作しない（図１３を参照）。これによって、歯車６０２が回らないなど、何らかの原因によってカフ持ち上げ機構６０１が動作することができない状態であった場合は、当該カフ持ち上げ機構６０１に対して外部から強制的に力が加えられることによって電子血圧計が破損することを防止することができる（図１３における○印を参照）。
【００６２】
図１４、図１５、図１６および図１７は、蓋部材１０２が開口部２０３を閉じる方向へ回動させる場合の、蓋部材１０２とカフ持ち上げ機構６０１との関係について示す説明図である。図１４および図１５においては、蓋部材１０２に機械的に連結されたカフ持ち上げ機構を備えた電子血圧計１０００の例を示している。図１６および図１７においては、カフ持ち上げ機構６０１と蓋部材１０２とが機械的に連結されていない、この実施の形態の電子血圧計１００を示している。
【００６３】
図１４および図１５において、カフ持ち上げ機構１００２が備える歯車６０２はエンドレスベルト１００１を介して蓋部材１０２の支軸部１０３に連結されているため、開口部２０３を閉じる方向への蓋部材１０２の動作による支軸部１０３の回動力は、エンドレスベルト１００１を介して歯車６０２に伝達される。このとき、たとえば、カフ持ち上げ機構１００２に機械的な故障が生じ、歯車６０２が回らない状態であった場合にも、蓋部材１０２における支軸部１０３の回動力が歯車６０２に伝達され、歯車６０２を強制的に回転させようとする。このような場合、蓋部材１０２を無理に回動させようとして、さらに力を加えると、蓋部材１０２、カフ持ち上げ機構１００２あるいはエンドレスベルト１００１が破損するおそれがある（図１５における×印を参照）。
【００６４】
これに対し、この実施の形態の電子血圧計１００は、カフ持ち上げ機構６０１と蓋部材１０２とが機械的に連結されていないため、たとえば、蓋部材１０２に機械的な故障が生じ、歯車６０２が回らない状態であった場合には、カフ持ち上げ機構６０１のみを下方へ下げることができる。これによって、支軸部１０３が回らないなど、何らかの原因によって蓋部材１０２が動作することができない状態であった場合は、蓋部材１０２によって無理にカフ持ち上げ機構６０１を動作させようとして電子血圧計１００が破損することを防止することができる（図１７における○印を参照）。
【００６５】
（別の実施の形態）
つぎに、この発明にかかる別の実施の形態の電子血圧計について説明する。この発明にかかる電子血圧計は、蓋部材１０２が、前後方向に回動するものに限らない。すなわち、蓋部材１０２は、カフ収納部２０２を閉塞する位置から筐体１０１の前方側へ回動することによって当該カフ収納部２０２を開放するように構成されているものに限らない。
【００６６】
図１８、図１９、図２０および図２１は、この発明にかかる別の実施の形態の電子血圧計を示す説明図である。図１８、図１９、図２０および図２１において、上述した電子血圧計１００と同一部分については、同一符号で示し、説明を省略する。図１８、図１９、図２０および図２１において、この発明にかかる別の実施の形態の電子血圧計１８００は、カフ持ち上げ機構２０００を備えている。カフ持ち上げ機構２０００は、カフ持ち上げ部品２００１を備えている。この別の実施の形態においては、カフ持ち上げ部品２００１によって、カフ支持部材を実現することができる。
【００６７】
カフ持ち上げ部品２００１は、カフ収納部２０２の底部に設けられた支点２００２を介して筐体１０１に連結されている。また、カフ持ち上げ部品２００１は、支点２００２を回動中心として回動可能に設けられている。カフ持ち上げ部品２００１は、支点２００２を間にして、左右方向における一方側（図２０においては左側）が、左右方向における他方側（図２０においては右側）よりも長い。
【００６８】
カフ持ち上げ部品２００１において、左右方向における一方側の端部には、突起部２００３が設けられている。突起部２００３は、蓋部材１０２が開口部２０３を完全に閉塞した状態において、蓋部材１０２の裏面側に当接するように設けられている。カフ持ち上げ部品２００１において、左右方向における他方側の端部には、おもり２００４が設けられている。おもり２００４は、支点２００２を間にして、カフ持ち上げ部品２００１の他方側の方が一方側よりも重くなるような重量とされている。カフ収納部２０２の底部において、左右方向における他方側の端部は、上げ底部材２００５が設けられている。
【００６９】
このような構成において、蓋部材１０２を開放方向に回動させると、蓋部材１０２による突起部２００３の押圧が解除され、カフ持ち上げ部品２００１がおもり２００４の重さによって回動する。この実施の形態においては、おもり２００４によって付勢部材を実現することができる。
【００７０】
このとき、カフ２０１は、上げ底部材２００５に当接することによって、カフ持ち上げ部品２００１の一方側にスライドする。上げ底部材２００５には、カフ持ち上げ部品２００１の回動によるおもり２００４の移動を妨げない形状とされている。具体的には、カフ持ち上げ部品２００１においては、たとえば、おもり２００４の移動軌跡に重なる位置にスリットが設けられている。
【００７１】
カフ持ち上げ部品２００１が回動し、カフ２０１がスライドすることによって、カフ２０１の一方側が筐体１０１の外部に突出する。これにより、被測定者は、カフ２０１における筐体１０１の外部に突出した部分に手指を入れることができ、カフ２０１を容易に取り出すことができる。
【００７２】
以上説明したように、この実施の形態の電子血圧計１００、１８００は、カフ２０１を収納するカフ収納部２０２を備えた筐体１０１と、筐体１０１の上面に設けられた支軸部１０３を介して筐体１０１に対して回動可能に連結され、筐体１０１に対して回動することによってカフ収納部２０２を開放する開放位置と当該カフ収納部２０２を閉塞する閉塞位置とに選択的に位置付けられる蓋部材１０２と、カフ収納部２０２に設けられ、カフ収納部２０２に収納されたカフ２０１を当該カフ収納部２０２から筐体１０１の外部へ移動させることが可能な状態でカフ２０１を支持するカフ支持部材の一例としてのカフ持ち上げ部品４０１、２００１と、カフ持ち上げ部品４０１、２００１を、カフ２０１がカフ収納部２０２から筐体１０１の外部へ移動する方向に付勢する付勢部材の一例としてのトーションバネ８０１あるいはおもり２００４と、を備え、カフ持ち上げ部品４０１、２００１は、蓋部材１０２が開放位置に位置付けられている状態においてカフ２０１の少なくとも一部が筐体１０１の外部に位置付けられる位置に移動し、開放位置から閉塞位置へ回動する蓋部材１０２によって付勢されてカフ２０１をカフ収納部２０２内に収納する位置に移動することを特徴としている。
【００７３】
なお、この発明にかかる実施の形態の電子血圧計１００、１８００は、蓋部材１０２が、前方向に回動するものに限らず、後方向あるいは左右方向に回動する構成であってもよい。また、この発明にかかる実施の形態の電子血圧計１００、１８００は、蓋部材１０２が回動するように構成されているものに限らず、筐体１０１に対してスライドする構成であってもよい。図示を省略するが、具体的には、たとえば、後方側から前方側へ引き戸のようにスライドすることによって、カフ収納部２０２を開閉する蓋部材１０２であってもよい。さらに、カフ収納部を開閉する蓋部材を設ける位置は、筐体１０１の上面に限らず、筐体１０１の側面としてもよい。
【００７４】
この実施の形態の電子血圧計１００、１８００によれば、カフ２０１をカフ収納部２０２内に収納した状態で蓋部材１０２を閉塞位置に位置付けることによって、筐体１０１内にカフ２０１が収納されていることをわかりにくくすることができる。さらに、この実施の形態の電子血圧計１００は、蓋部材１０２の裏面側に液晶表示部２０４および操作部２０５が設けられているため、蓋部材１０２を閉塞位置に位置付けることによって、不使用時においては、電子血圧計１００であることをよりわかりにくくすることができる。
【００７５】
また、この実施の形態の電子血圧計１００、１８００によれば、カフ収納部２０２を開放した状態において、カフ２０１が筐体１０１の外部に突出するようにカフ持ち上げ部品４０１、２００１が持ち上がるため、カフ２０１の横方向から容易に手指を入れることが可能になり、カフ２０１の取り出し易さの向上を図ることができる。
【００７６】
このように、この実施の形態の電子血圧計１００、１８００によれば、不使用時においては電子血圧計１００であることをわかりにくくするとともに、使用時におけるカフ２０１の取り出しの容易化を図ることができる。
【００７７】
また、この発明にかかる実施の形態の電子血圧計１００は、蓋部材１０２の回動およびカフ持ち上げ部品４０１、２００１の移動は、それぞれ独立しておこなわれることを特徴としている。すなわち、蓋部材１０２のカフ収納部２０２の開放位置と閉塞位置との位置付けと、カフ持ち上げ部品４０１、２００１の移動とが、それぞれ独立しておこなわれることを特徴としている。
【００７８】
このように、蓋部材１０２とカフ持ち上げ部品４０１、２００１が直接接続された機構になっていないカフ持ち上げ機構６０１、２０００とすることにより、たとえば、カフ２０１が持ち上がる際に何かが干渉するなどしてカフ持ち上げ機構６０１、２０００が正常に動作しない状態であるにもかかわらず、蓋部材１０２を強制的に開閉しようとして蓋部材１０２に強い負荷が加えられた場合やカフ持ち上げ部品４０１、２００１に強制的に負荷をかけられた場合にも、電子血圧計１００が備える各部の破損を防止することができる。
【００７９】
また、この発明にかかる実施の形態の電子血圧計１００は、カフ持ち上げ部品４０１を、歯車６０２を用いて上下動させていることを特徴としている。この発明にかかる実施の形態の電子血圧計１００によれば、歯車６０２の大きさ、歯車６０２の丁数、歯車６０２の回転に要するトルクなどを調整することによってカフ持ち上げ部品４０１が上下動する速度を調節することができる。
【産業上の利用可能性】
【００８０】
以上のように、この発明にかかる電子血圧計は、生体（被測定者）に装着して血圧を測定する電子血圧計に有用であり、特に、使いやすさが重要視される電子血圧計に適している。
【符号の説明】
【００８１】
１００  電子血圧計
１０１  筐体
１０２  蓋部材
１０３  支軸部
２０１  カフ
２０２  カフ収納部
４０１  カフ持ち上げ部品
６０１  カフ持ち上げ機構
６０２  歯車
８０１  トーションバネ
１８００  電子血圧計
２０００  カフ持ち上げ機構
２００１  カフ持ち上げ部品
２００２  支点
２００４  おもり
【図１】
2011212323.tif 000003
【図２】
2011212323.tif 000004
【図３】
2011212323.tif 000005
【図４】
2011212323.tif 000006
【図５】
2011212323.tif 000007
【図６】
2011212323.tif 000008
【図７】
2011212323.tif 000009
【図８】
2011212323.tif 000010
【図９】
2011212323.tif 000011
【図１０】
2011212323.tif 000012
【図１１】
2011212323.tif 000013
【図１２】
2011212323.tif 000014
【図１３】
2011212323.tif 000015
【図１４】
2011212323.tif 000016
【図１５】
2011212323.tif 000017
【図１６】
2011212323.tif 000018
【図１７】
2011212323.tif 000019
【図１８】
2011212323.tif 000020
【図１９】
2011212323.tif 000021
【図２０】
2011212323.tif 000022
【図２１】
2011212323.tif 000023